(57)【要約】【課題】メガネのネジによる連結部の緩み止めを確実に行う事。【解決手段】ネジの切欠き部（２０）のネジ軸横断面への投影形状が、略三角形で、その頂点三点（Ｘ、Ｙ、Ｚ）を直線で結んだ形状がほぼ直角不等辺三角形（３０）であり、その直角不等辺三角形の直角又は鈍角のどちらか一つの頂点が戻り側ネジ山頂部（４０）に、他方は谷底部（４２）にある様にされ、そして、残りの鋭角部の頂点が押し込み側山頂部（４１）にある様に形成され、そして、その様にして形成された前記切欠き部を少なくとも一箇所以上、一回転部に有する様に形成した。【選択図】図４
2010107029.tif 000002
【特許請求の範囲】
【請求項１】
ネジの切欠き部のネジ軸横断面への投影形状が、略三角形で、その頂点三点を直線で結んだ形状がほぼ直角不等辺三角形であり、その直角不等辺三角形の直角又は鈍角のどちらか一つの頂点が戻り側ネジ山頂部に、他方は谷底部にある様にされ、そして、残りの鋭角部の頂点が押し込み側山頂部にある様に形成され、そして、その様にして形成された前記切欠き部を少なくとも一箇所以上、一回転部に有する様に形成された事を特徴とする、緩み防止ネジ。
【請求項２】
前記山頂部切欠き部近辺の戻り側頂部が、そのネジ本来の角度よりも上下どちらかに僅かに曲げられた事を特徴とする、請求項１記載の緩み防止ネジ。
【請求項３】
前記切欠き部が連続して上下に少なくとも二箇所以上設けられた部分が少なくとも一箇所以上有する事を特徴とする、請求項１又は２の何れか１項に記載の緩み防止ネジ。
【発明の詳細な説明】
【技術分野】
【０００１】  本発明は、ねじ込んだ後、緩まない様にされた、緩み防止ネジに関する。特に、眼鏡のフレームと部品、又は部品同士の連結又は締結に使用される物に関する。
【背景技術】
【０００２】  従来、眼鏡の部品として、丁番部やリムロックその他に使用されるネジに於いては、その寸法が小さい上、使用している内にだんだん緩んできてしまっていく事が多かった。そこで、その様な緩みを防止用のネジとして、色んなものが提案されてきている。そして、その中で、例えば特開平８−３０３４４４の様な緩み防止案が提案されている。【０００３】
【特許文献１】特開平８−３０３４４４
【発明の開示】
【発明が解決しようとする課題】
【０００４】  しかしながら、上記特開平８−３０３４４４の様に、ネジ山頂部に爪を形成すると、ネジ山頂部以上に爪が突出し、その部分が弱くなる為ネジに焼入れを行わなければ、爪が直ぐに折れてしまい、用を成さなくなってしまった。特に眼鏡の丁番部に於いては、何万回と開閉を繰り返す事によりその爪の部分の耐久性は無く、致命的な事故に繋がってしまう事となる。
【課題を解決するための手段】
【０００５】  そこで本発明に於いては、先ず、ネジの切欠き部のネジ軸横断面への投影形状が、略三角形で、その頂点三点を直線で結んだ形状がほぼ直角不等辺三角形であり、その直角不等辺三角形の直角又は鈍角のどちらか一つの頂点が戻り側ネジ山頂部に、他方は谷底部にある様にされ、そして、残りの鋭角部の頂点が押し込み側山頂部にある様に形成され、そして、その様にして形成された前記切欠き部を少なくとも一箇所以上、一回転部に有する様に形成する事により上記課題の解決を図った。【０００６】次に、前記山頂部切欠き部近辺の戻り側頂部が、そのネジ本来の角度よりも上下どちらかに僅かに曲げるように形成し更なる効果を図った。【０００７】  そして、更に、前記切欠き部が連続して上下に少なくとも二箇所以上設けられた部分が少なくとも一箇所以上有するに形成した。
【発明の効果】
【０００８】  本発明により、ネジの締め付けの際には、スムーズに回転し進入し、締め付け後は緩み防止効果がしっかり効いて、丁番の回転試験に於いても、充分な摩擦力により緩み止め効果が得られた。
【発明を実施するための最良の形態】
【０００９】  以下図による実施例により本発明の最良の形態を説明するが、本発明は以下の実施例図や説明文により限定されるものではなく、特許請求の範囲により限定されるべきものである。
【実施例１】
【０００８】  図１は説明用のネジの正面図で、図２及び３は、そのＡ−Ａ断面図であり、図４及び５は図２，３の要部拡大図である。図２，３の様に、ネジ１０の切欠き部２０のネジ軸横断面への投影形状が略三角形又は略弓形で、その頂点Ｘ、Ｙ、Ｚ、の三点を直線で結んだ形状が、図４、５の様にほぼ直角不等辺三角形３０，３１、である様に加工する。【０００９】  そして図４は、直角不等辺三角形３０の鈍角部の頂点Ｚを戻り側ネジ山頂部４０に、直角部Ｘを谷底部４２にある様にし、そして残りの鋭角部の頂点Ｙが押し込み側ネジ山頂部４１にあるように形成した状態を表している。【００１０】又、図３とその要部拡大図の図５の様に、直角不等辺三角形３１の直角部の頂点Ｚ２を戻り側ネジ山頂部４０ａ上に、鈍角部の頂点Ｘ２を谷底部４２ａにある様にし、そして、残りの鋭角部頂点Ｙ２を押し込み側ネジ山頂部４１ａ上に置く様に加工しても良い。【００１１】  そうする事により、矢印Ｔ１〜Ｔ４の方に押し込む場合、戻り側ネジ山頂部４０，４０ａは邪魔にはならず、又、押し込み側ネジ山頂部４１，４１ａも勿論、比較的緩やかな鈍角になっているので、締め付け・押し込みの邪魔にはならない。【００１２】  しかし、ネジが緩み戻ろうとする場合は、戻り側ネジ山頂部４０，４０ａ，の角度は９０度に等しいか小さいので、先端部がナット側溝（図示無し）に喰い込み、緩む事がない。そして、押し込み側ネジ山頂部４１，４１ａも直線で切ったような切欠き部を形成してあるので、多少エッジが立って、戻り防止に一役果たす事となる。【００１３】  図６，７は本発明の緩み防止ネジを作る場合の説明図であり、先ず図６の様に、ネジ基材にプレスにより略三角形の切欠き部２１を形成し、それから転造ダイスでネジ山・溝を形成しても良く、又、転造ダイスでネジ山・溝を形成した後、ダイスで図７の様に、切削、プレス等で前記略三角形部分を削り取っても良い。【００１４】  又、図８の様に切欠き部が一箇所２０でも良く、図９の様に上下に二箇所２０ａ以上連続して設けられても良く、又完全ネジ部のみならず不完全ネジ部に設けても良い。【００１５】  そして次に、図１０の様に、山頂部切欠き部近辺の戻り側ネジ山頂部４０Ｃが、そのネジ本来の角度よりも上下４０ｄ，４０ｅの様にどちらかに僅かに曲げられた状態に形成されても良く、こうする事により更に緩み防止効果が倍増した。【００１６】  そして、図１１は本発明のネジを眼鏡に使用する場合の眼鏡の斜視図であり、丁番部５０，５１がもっとも緩み易い箇所であるが、しっかり緩み防止効果があった。又、他にもリムロック部分、パッド部分（図示無し）等にも使用する事が可能である。
【産業上の利用可能性】
【００１７】  又、他の分野のネジにも使用出来、その応用範囲は広い。
【図面の簡単な説明】
【００１８】
【図１】説明用のネジ正面図
【図２】図１のＡ−Ａ断面図
【図３】図１のＡ−Ａ断面図
【図４】図２の要部拡大図
【図５】図３の要部拡大図
【図６】本発明の加工説明図
【図７】本発明の加工説明図
【図８】本発明のネジ正面図
【図９】本発明のネジ正面図
【図１０】本発明の他の実施例のネジ模式要部拡大図
【図１１】本発明のネジを装着した眼鏡斜視図
【符号の説明】
１０            ネジ
２０            切欠き部
３０．３１      直角不等辺三角形
４０            戻り側ネジ山頂部
４１            押し込み側ネジ山頂部
５０，５１      丁番部
Ｘ、Ｙ、Ｚ      三角形頂点
Ｇ              加工具（機）
Ｔ              ねじ込み方向
【図１】
2010107029.tif 000003
【図２】
2010107029.tif 000004
【図３】
2010107029.tif 000005
【図４】
2010107029.tif 000006
【図５】
2010107029.tif 000007
【図６】
2010107029.tif 000008
【図７】
2010107029.tif 000009
【図８】
2010107029.tif 000010
【図９】
2010107029.tif 000011
【図１０】
2010107029.tif 000012
【図１１】
2010107029.tif 000013